(57)【要約】【課題】野球やゴルフのように、バットやゴルフクラブをスイングしてボールを打撃するスポーツなどにおいて、４つのスタンスに応じ、プレイヤー個々の運動能力を最大限引き伸ばすことができるスポーツ用グローブを提供する。【解決手段】使用者の立位自然体での足裏重心が、つま先側で、且つ内側に位置するとき、低伸縮性部材１０３は、グローブ本体１０１の掌側面１０１ａにおいて、第２指の近位指節間関節と中手指節関節との間、第３指の近位指節間関節と中手指節関節との間に延在されていると共に、第２指の中手指節関節から第５指の中手指節関節と手根中手関節との間に至るまで延在されている一方、グローブ本体１０１の甲側面において、第２指の近位指節間関節と中手指節関節との間に延在されていると共に、第２指の中手指節関節から第５指の中手指節関節と手根中手関節との間に至るまで延在されている。【選択図】図３
2013141529.tif 000002
【特許請求の範囲】
【請求項１】
使用者の運動時に用いられ、伸縮性を有する高伸縮性部材と、この高伸縮性部材よりも伸縮性が低い低伸縮性部材とにより構成されたグローブ本体を有し、
前記使用者の立位自然体での足裏重心が、つま先側で、且つ内側に位置するとき、
前記低伸縮性部材は、
前記グローブ本体の掌側において、第２指の近位指節間関節と中手指節関節との間、第３指の近位指節間関節と中手指節関節との間に延在されていると共に、第２指の中手指節関節から第５指の中手指節関節と手根中手関節との間に至るまで延在されている一方、
前記グローブ本体の甲側において、第２指の近位指節間関節と中手指節関節との間に延在されていると共に、第２指の中手指節関節から第５指の中手指節関節と手根中手関節との間に至るまで延在されていることを特徴とするスポーツ用グローブ。
【請求項２】
前記グローブ本体の挿入口に、前記使用者の手首を締め付け可能なホールド部を設け、
このホールド部に、第１指から第５指に向かって前記手首に巻き付けられる帯状のストラップを設け、
このストラップは、先細りとなるように形成されていると共に、
前記ストラップの長さは、前記手首を半周する長さに設定されていることを特徴とする請求項１に記載のスポーツ用グローブ。
【請求項３】
使用者の運動時に用いられ、伸縮性を有する高伸縮性部材と、この高伸縮性部材よりも伸縮性が低い低伸縮性部材とにより構成されたグローブ本体を有し、
前記使用者の立位自然体での足裏重心が踵側で、かつ外側に位置するとき、
前記低伸縮性部材は、
前記グローブ本体の掌側において、第３指の近位指節間関節と中手指節関節との間、第４指の近位指節間関節と中手指節関節との間に延在されていると共に、第２指の中手指節関節から第５指の月状骨に至るまで延在されている一方、
前記グローブ本体の甲側において、第２指の中手指節関節から第５指の月状骨に至るまで延在されていることを特徴とするスポーツ用グローブ。
【請求項４】
前記グローブ本体の挿入口に、前記使用者の手首を締め付け可能なホールド部を設け、
このホールド部に、第１指から第５指に向かって前記手首に巻き付けられる帯状のストラップを設け、
このストラップの長さは、前記手首を少なくとも１周する長さに設定されていることを特徴とする請求項３に記載のスポーツ用グローブ。
【請求項５】
使用者の運動時に用いられ、伸縮性を有する高伸縮性部材と、この高伸縮性部材よりも伸縮性が低い低伸縮性部材とにより構成されたグローブ本体を有し、
前記使用者の立位自然体での足裏重心がつま先側で、かつ外側に位置するとき、
前記低伸縮性部材は、
前記グローブ本体の掌側において、第３指の近位指節間関節と中手指節関節との間、第４指の近位指節間関節と中手指節関節との間に延在されていると共に、第２指の中手指節関節から第５指の中手指節関節に至るまで延在されている一方、
前記グローブ本体の甲側において、第３指と第４指の間であって、且つこれら第３指、及び第４指の近位指節間関節と前記使用者の手首との間の領域に延在されていると共に、第２指の中手指節関節から第５指の中手指節関節に至るまで延在されていることを特徴とするスポーツ用グローブ。
【請求項６】
前記グローブ本体の挿入口に、前記使用者の手首を締め付け可能なホールド部を設け、
このホールド部に、第５指から第１指に向かって前記手首に巻き付けられる帯状のストラップを設け、
このストラップの長さは、前記手首を半周する長さに設定されていることを特徴とする請求項５に記載のスポーツ用グローブ。
【請求項７】
前記ホールド部の幅をＷとしたとき、
前記幅Ｗは、
０．５ｃｍ≦Ｗ≦５ｃｍ
を満たすように設定されていることを特徴とする請求項２又は請求項６に記載のスポーツ用グローブ。
【請求項８】
使用者の運動時に用いられ、伸縮性を有する高伸縮性部材と、この高伸縮性部材よりも伸縮性が低い低伸縮性部材とにより構成されたグローブ本体を有し、
前記使用者の立位自然体での足裏重心が踵側で、かつ内側に位置するとき、
前記低伸縮性部材は、
前記グローブ本体の掌側において、第２指の中手指節関節から第５指の中手指節関節に至るまで延在されていると共に、母指球の周囲に対応する箇所に延在されている一方、
前記グローブ本体の甲側において、第２指の中手指節関節から第５指の中手指節関節に至るまで延在されていると共に、第２指の中手指節関節から第５指の中手指節関節よりも前記使用者の手首よりから、この手首に至る間の前記甲の全域に亘って延在されていることを特徴とするスポーツ用グローブ。
【請求項９】
前記グローブ本体の挿入口に、前記使用者の手首を締め付け可能なホールド部を設け、
このホールド部に、第５指から第１指に向かって前記手首に巻き付けられる帯状のストラップを設け、
このストラップの長さは、前記手首を少なくとも１周する長さに設定されていることを特徴とする請求項８に記載のスポーツ用グローブ。
【請求項１０】
前記ホールド部の幅をＷとしたとき、
前記幅Ｗは、
１．５ｃｍ≦Ｗ≦６ｃｍ
を満たすように設定されていることを特徴とする請求項４又は請求項９に記載のスポーツ用グローブ。
【発明の詳細な説明】
【技術分野】
【０００１】
この発明は、例えば、ボールを打撃するスポーツなどに用いられるスポーツ用グローブに関するものである。
【背景技術】
【０００２】
近年、スポーツなどの運動を行う際、プレイヤーのスタンスを４つのスタンスに分類し、これらスタンス毎に最適な運動形態を導く指標とする「フォースタンス理論」が唱えられている。このフォースタンス理論に基づいて各プレイヤーが運動することで、個々の運動能力を十分発揮させることが可能になる（例えば、特許文献１参照）。
ここで、「フォースタンス理論」における「スタンス」とは、プレイヤーが自然体で立位を採った際、無意識のうちに体を安定するための両脚の足底の傾き加減を表し、身体能力を十分な形で発揮するための足の重心のかけ方である。このスタンスには、各プレイヤーにおいて個体差が存在し、プレイヤーがどのスタンスを採るかはその脳、及び骨格と身体的くせに依存して各個人間で変化する。
【０００３】
「フォースタンス理論」における４つのスタンスは、以下の通りである：（１）つま先内側重心（図１７（ａ）参照）；（２）踵外側重心（図１７（ｂ）参照）；（３）つま先外側重心（図１７（ｃ）参照）；（４）踵内側重心（図１７（ｄ）参照）。
以下に、各スタンス別の身体の動きの違いの一例を示す。
すなわち、図１８、図１９に示すように、（１）つま先内側重心のスタンス（以下、（１）のスタンスという）、及び（２）踵外側重心のスタンス（以下、（２）のスタンスという）を採るプレイヤーは、クロスタイプとも呼ばれ、歩行時に足首ＡＫを可動させず、すり足のように歩行する。
【０００４】
具体的には、歩行時において、立ち位置（図１８（ａ）参照）から足を前に出そうとする動作のとき（図１８（ｂ）参照）、地面Ｊと踵Ｋとの距離Ｓ１が短く、地面Ｊから踵Ｋがあまり離れない。そして、足首ＡＫを可動させない状態で足裏ＡＵが地面から完全に離れる（図１８（ｃ）参照）。このとき、地面Ｊと足裏ＡＵとの距離Ｓ２が短く、地面Ｊから足裏ＡＵが大きく離れることがない。この後、足裏ＡＵを地面Ｊに着地させるとき、足の母指球あたりが最初に地面Ｊに着地する（図１８（ｄ）参照）。
このように、（１）のスタンス、及び（２）のスタンスを採るプレイヤーはすり足に近い形で歩行するので、例えば、スリッパを履いて歩くのが苦手な場合が多い。
【０００５】
さらに、（１）のスタンスを採るプレイヤーにあっては、足を前に出そうとする動作のとき（図１８（ｂ）参照）、踵外側からつま先内側に向かって足が捩れるような状態で地面から離れる（図１９（ａ）参照）。一方、（２）のスタンスを採るプレイヤーにあっては、踵内側からつま先外側に向かって足が捩れるような状態で地面から離れる（図１９（ｂ）参照）。また、（２）のスタンスを採るプレイヤーは、足裏ＡＵを地面Ｊに着地させるとき（図１８（ｄ）参照）、（１）のスタンスを採るプレイヤーよりも地面Ｊと踵Ｋとの間の距離Ｓ３が短い。
【０００６】
これに対し、図２０に示すように、（３）つま先外側重心のスタンス（以下、（３）のスタンスという）、及び（４）踵内側重心のスタンス（以下、（４）のスタンスという）を採るプレイヤーは、パラレルタイプとも呼ばれ、（１）のスタンス、及び（２）のスタンス（クロスタイプ）と比較して歩行時に足首ＡＫを可動させる。
具体的には、歩行時において、立ち位置（図２０（ａ）参照）から足を前に出そうと地面を蹴り上げる動作のとき（図２０（ｂ）参照）、クロスタイプよりも地面Ｊと踵Ｋとの距離Ｓ１’が長く、地面Ｊから踵Ｋが大きく離れる。このとき、足指の根元が大きく可動させるが、（３）のスタンスを採るプレイヤーよりも（４）のスタンスを採るプレイヤーの可動位置がやや踵寄りになる。
【０００７】
そして、地面Ｊから足裏ＡＵが完全に離れると、足首ＡＫが大きく可動させる（図２０（ｃ）参照）。このとき、クロスタイプと比較して地面Ｊと踵Ｋとの距離Ｓ２'が長く、地面Ｊから踵Ｋが大きく離れる。この後、足裏ＡＵを地面Ｊに着地させるとき、踵Ｋが最初に地面Ｊに着地する（図２０（ｄ）参照）。このとき、（４）のスタンスを採るプレイヤーよりも（３）のスタンスを採るプレイヤーの足裏ＡＵの着地位置がややつま先寄りになる。
（３）のスタンス、及び（４）のスタンスを採るプレイヤーは足が前後に屈曲するような状態で歩行するので、例えば、スリッパを履く場合、足の甲にスリッパが引っ掛かる形になり、かつスリッパの踵を引きずるように歩く。このため、パラレルタイプは、クロスタイプと比較してスリッパを履いて歩き易い。
【０００８】
このように、各プレイヤーは自分が「フォースタンス理論」における４つのスタンスのうちいずれのスタンスを採るかに依存して、足の動きが大きく変化する。すなわち、４つのスタンスは、末梢四肢（手足）に相互に関係しており、脳から末梢四肢に至る固有の身体特徴に基づいて理論立てられている。
そして、各プレイヤーが「フォースタンス理論」における４つのスタンスのうちいずれのスタンスを採るかに応じてフォームを改善することにより、個々の運動能力を最大限引き伸ばすことが可能になる。
【０００９】
ところで、野球やゴルフのように、バットやゴルフクラブをスイングしてボールを打撃するスポーツなどにおいて、バットやゴルフクラブのスイング時の滑り止めの役割をさせたり、グリップ力を高めたりするためにスポーツ用グローブを用いる場合がある。このスポーツ用グローブを用い、適正なグリップ力を得るためのさまざまな技術が開示されている。
【００１０】
例えば、ゴルフクラブのグリップを握った状態でグリップと接触する部分であって、少なくともスイング時に重要な部分となる第３指、第４指、第５指、及び掌に、握った状態で折れ曲がる部分で分断された各パッドを設け、グリップを握った時にグリップと接触する部分に周方向に連続する略均一の厚さとなる衝撃吸収性パッドを取り付けたゴルフグローブがある（例えば、特許文献２参照）。
これによれば、ゴルフグローブを装着してグリップを握ると、このグリップが太くなったのと同じ効果となり、小さく握らなくてもグリップを握ることができるようになるため、軽い腱鞘炎を起こしているような人でも、スイングに支障がない程度にグリップを握ることができる。
【先行技術文献】
【特許文献】
【００１１】
【特許文献１】特開２００４−３２１５５９号公報
【特許文献２】特開２００７−４４１７７号公報
【発明の概要】
【発明が解決しようとする課題】
【００１２】
しかしながら、上述の特許文献２にあっては、４つのスタンスに応じ、プレイヤー個々の運動能力を最大限引き伸ばすことができるゴルフグローブについては何ら開示されていない。
【００１３】
そこで、この発明は、野球やゴルフのように、バットやゴルフクラブをスイングしてボールを打撃するスポーツなどにおいて、４つのスタンスに応じ、プレイヤー個々の運動能力を最大限引き伸ばすことができるスポーツ用グローブを提供するものである。
【課題を解決するための手段】
【００１４】
上記の課題を解決するために、請求項１に記載した発明は、使用者の運動時に用いられ、伸縮性を有する高伸縮性部材と、この高伸縮性部材よりも伸縮性が低い低伸縮性部材とにより構成されたグローブ本体を有し、前記使用者の立位自然体での足裏重心が、つま先側で、且つ内側に位置するとき、前記低伸縮性部材は、前記グローブ本体の掌側において、第２指の近位指節間関節と中手指節関節との間、第３指の近位指節間関節と中手指節関節との間に延在されていると共に、第２指の中手指節関節から第５指の中手指節関節と手根中手関節との間に至るまで延在されている一方、前記グローブ本体の甲側において、第２指の近位指節間関節と中手指節関節との間に延在されていると共に、第２指の中手指節関節から第５指の中手指節関節と手根中手関節との間に至るまで延在されていることを特徴とする。
このように構成することで、掌や手の甲に、（１）のスタンスを採るプレイヤーにとって好適な刺激を付与することができる。この刺激により、（１）のスタンスを採るプレイヤーの運動能力を十分発揮させることが可能になる。
【００１５】
請求項２に記載した発明は、前記グローブ本体の挿入口に、前記使用者の手首を締め付け可能なホールド部を設け、このホールド部に、第１指から第５指に向かって前記手首に巻き付けられる帯状のストラップを設け、このストラップは、先細りとなるように形成されていると共に、前記ストラップの長さは、前記手首を半周する長さに設定されていることを特徴とする。
このように構成することで、運動中の（１）のスタンスを採るプレイヤーへのスポーツ用グローブの装着状態を確実に維持することができる。
また、（１）のスタンスを採るプレイヤーに不快感を抱かせずに安心感を付与させることができ、より確実に（１）のスタンスを採るプレイヤーの運動能力を十分発揮させることが可能になる。
【００１６】
請求項３に記載した発明は、使用者の運動時に用いられ、伸縮性を有する高伸縮性部材と、この高伸縮性部材よりも伸縮性が低い低伸縮性部材とにより構成されたグローブ本体を有し、前記使用者の立位自然体での足裏重心が踵側で、かつ外側に位置するとき、前記低伸縮性部材は、前記グローブ本体の掌側において、第３指の近位指節間関節と中手指節関節との間、第４指の近位指節間関節と中手指節関節との間に延在されていると共に、第２指の中手指節関節から第５指の月状骨に至るまで延在されている一方、前記グローブ本体の甲側において、第２指の中手指節関節から第５指の月状骨に至るまで延在されていることを特徴とする。
このように構成することで、掌や手の甲に、（２）のスタンスを採るプレイヤーにとって好適な刺激を付与することができる。この刺激により、（２）のスタンスを採るプレイヤーの運動能力を十分発揮させることが可能になる。
【００１７】
請求項４に記載した発明は、前記グローブ本体の挿入口に、前記使用者の手首を締め付け可能なホールド部を設け、このホールド部に、第１指から第５指に向かって前記手首に巻き付けられる帯状のストラップを設け、このストラップの長さは、前記手首を少なくとも１周する長さに設定されていることを特徴とする。
このように構成することで、運動中の（２）のスタンスを採るプレイヤーへのスポーツ用グローブの装着状態を確実に維持することができる。
また、（２）のスタンスを採るプレイヤーに不快感を抱かせずに安心感を付与させることができ、より確実に（２）のスタンスを採るプレイヤーの運動能力を十分発揮させることが可能になる。
【００１８】
請求項５に記載した発明は、使用者の運動時に用いられ、伸縮性を有する高伸縮性部材と、この高伸縮性部材よりも伸縮性が低い低伸縮性部材とにより構成されたグローブ本体を有し、前記使用者の立位自然体での足裏重心がつま先側で、かつ外側に位置するとき、前記低伸縮性部材は、前記グローブ本体の掌側において、第３指の近位指節間関節と中手指節関節との間、第４指の近位指節間関節と中手指節関節との間に延在されていると共に、第２指の中手指節関節から第５指の中手指節関節に至るまで延在されている一方、前記グローブ本体の甲側において、第３指と第４指の間であって、且つこれら第３指、及び第４指の近位指節間関節と前記使用者の手首との間の領域に延在されていると共に、第２指の中手指節関節から第５指の中手指節関節に至るまで延在されていることを特徴とする。
このように構成することで、掌や手の甲に、（３）のスタンスを採るプレイヤーにとって好適な刺激を付与することができる。この刺激により、（３）のスタンスを採るプレイヤーの運動能力を十分発揮させることが可能になる。
【００１９】
請求項６に記載した発明は、前記グローブ本体の挿入口に、前記使用者の手首を締め付け可能なホールド部を設け、このホールド部に、第５指から第１指に向かって前記手首に巻き付けられる帯状のストラップを設け、このストラップの長さは、前記手首を半周する長さに設定されていることを特徴とする。
このように構成することで、運動中の（３）のスタンスを採るプレイヤーへのスポーツ用グローブの装着状態を確実に維持することができる。
また、（３）のスタンスを採るプレイヤーに不快感を抱かせずに安心感を付与させることができ、より確実に（３）のスタンスを採るプレイヤーの運動能力を十分発揮させることが可能になる。
【００２０】
請求項７に記載した発明は、請求項２又は請求項６に記載のスポーツ用グローブにおいて、前記ホールド部の幅をＷとしたとき、前記幅Ｗは、０．５ｃｍ≦Ｗ≦５ｃｍを満たすように設定されていることを特徴とする。
ここで、（１）のスタンスを採るプレイヤーと、（３）のスタンスを採るプレイヤーは、手首を自由に動かしたいという意識が強い。このため、ホールド部の幅Ｗを、０．５ｃｍ≦Ｗ≦５ｃｍを満たすように設定することにより、スポーツ用グローブを装着した際の（１）のスタンスを採るプレイヤー、及び（３）のスタンスを採るプレイヤーの不快感を確実に低減でき、確実に安心感を付与することができる。
【００２１】
請求項８に記載した発明は、使用者の運動時に用いられ、伸縮性を有する高伸縮性部材と、この高伸縮性部材よりも伸縮性が低い低伸縮性部材とにより構成されたグローブ本体を有し、前記使用者の立位自然体での足裏重心が踵側で、かつ内側に位置するとき、前記低伸縮性部材は、前記グローブ本体の掌側において、第２指の中手指節関節から第５指の中手指節関節に至るまで延在されていると共に、母指球の周囲に対応する箇所に延在されている一方、前記グローブ本体の甲側において、第２指の中手指節関節から第５指の中手指節関節に至るまで延在されていると共に、第２指の中手指節関節から第５指の中手指節関節よりも前記使用者の手首よりから、この手首に至る間の前記甲の全域に亘って延在されていることを特徴とする。
このように構成することで、掌や手の甲に、（４）のスタンスを採るプレイヤーにとって好適な刺激を付与することができる。この刺激により、（４）のスタンスを採るプレイヤーの運動能力を十分発揮させることが可能になる。
【００２２】
請求項９に記載した発明は、前記グローブ本体の挿入口に、前記使用者の手首を締め付け可能なホールド部を設け、このホールド部に、第５指から第１指に向かって前記手首に巻き付けられる帯状のストラップを設け、このストラップの長さは、前記手首を少なくとも１周する長さに設定されていることを特徴とする。
このように構成することで、運動中の（４）のスタンスを採るプレイヤーへのスポーツ用グローブの装着状態を確実に維持することができる。
また、（４）のスタンスを採るプレイヤーに不快感を抱かせずに安心感を付与させることができ、より確実に（４）のスタンスを採るプレイヤーの運動能力を十分発揮させることが可能になる。
【００２３】
請求項１０に記載した発明は、請求項４又は請求項９に記載のスポーツ用グローブにおいて、前記ホールド部の幅をＷとしたとき、前記幅Ｗは、１．５ｃｍ≦Ｗ≦６ｃｍを満たすように設定されていることを特徴とする。
このように構成することで、ここで、（２）のスタンスを採るプレイヤーと、（４）のスタンスを採るプレイヤーは、手首をしっかりと覆って固定したいという意識が強い。このため、ホールド部の幅Ｗを、１．５ｃｍ≦Ｗ≦６ｃｍを満たすように設定することにより、スポーツ用グローブを装着した際の（２）のスタンスを採るプレイヤー、及び（４）のスタンスを採るプレイヤーの不快感を確実に低減でき、確実に安心感を付与することができる。
【発明の効果】
【００２４】
本発明によれば、掌や手の甲に、（１）〜（４）のスタンスを採るプレイヤーにとってそれぞれ好適な刺激を付与することができる。この刺激により、（１）〜（４）のスタンスを採るプレイヤーの運動能力をそれぞれ十分発揮させることが可能になる。
【図面の簡単な説明】
【００２５】
【図１】本発明の実施形態におけるつま先内側重心のプレイヤーの右手掌の骨格図である。
【図２】本発明の実施形態におけるつま先内側重心のプレイヤーがグリップを把持した状態を示す説明図である。
【図３】本発明の実施形態におけるつま先内側重心のプレイヤーに最適なスポーツ用グローブの左手の掌側面の平面図である。
【図４】本発明の実施形態におけるつま先内側重心のプレイヤーに最適なスポーツ用グローブの左手の甲側面の平面図である。
【図５】本発明の実施形態における踵外側重心のプレイヤーの右手掌の骨格図である。
【図６】本発明の実施形態における踵外側重心のプレイヤーがグリップを把持した状態を示す説明図である。
【図７】本発明の実施形態における踵外側重心のプレイヤーに最適なスポーツ用グローブの左手の掌側面の平面図である。
【図８】本発明の実施形態における踵外側重心のプレイヤーに最適なスポーツ用グローブの左手の甲側面の平面図である。
【図９】本発明の実施形態におけるつま先外側重心のプレイヤーの右手掌の骨格図である。
【図１０】本発明の実施形態におけるつま先外側重心のプレイヤーがグリップを把持した状態を示す説明図である。
【図１１】本発明の実施形態におけるつま先外側重心のプレイヤーに最適なスポーツ用グローブの左手の掌側面の平面図である。
【図１２】本発明の実施形態におけるつま先外側重心のプレイヤーに最適なスポーツ用グローブの左手の甲側面の平面図である。
【図１３】本発明の実施形態における踵内側重心の右手掌の骨格図である。
【図１４】本発明の実施形態における踵内側重心のプレイヤーがグリップを把持した状態を示す説明図である。
【図１５】本発明の実施形態における踵内側重心のプレイヤーに最適なスポーツ用グローブの左手の掌側面の平面図である。
【図１６】本発明の実施形態における踵内側重心のプレイヤーに最適なスポーツ用グローブの左手の甲側面の平面図である。
【図１７】フォースタンス理論における４のスタンスの現れ方を示す説明図である。
【図１８】クロスタイプの歩行時の足の動きを示す説明図である。
【図１９】クロスタイプの歩行時の足の動きを示す説明図である。
【図２０】パラレルタイプの歩行時の足の動きを示す説明図である。
【発明を実施するための形態】
【００２６】
（（１）のスタンスを採るプレイヤー）
次に、（１）〜（４）のスタンスを採るプレイヤーごとの最適なスポーツ用グローブについて説明する。
まず、図１〜図４に基づいて、（１）のスタンスを採るプレイヤーに最適なスポーツ用グローブ１００について説明する。
図１は、右手掌の骨格図であって、（１）のスタンスを採るプレイヤーの特徴を示す。図２は、（１）のスタンスを採るプレイヤーがバットのグリップを把持した状態を示す説明図である。図３は、（１）のスタンスを採るプレイヤーに最適なスポーツ用グローブ１００の左手の掌側面１０１ａの平面図である。図４は、（１）のスタンスを採るプレイヤーに最適なスポーツ用グローブ１００の左手の甲側面１０１ｂの平面図である。尚、以下の説明では、スポーツ用グローブの一例として野球のバットをスイングする際に用いられるバッティンググローブについて説明する。しかしながら、以下に示すバッティンググローブは、野球のバットをスイングする際に用いる場合に限られず、さまざまなスポーツ用のグローブとして用いることが可能である。すなわち、例えば、ゴルフクラブをスイングする際に用いられるゴルフ用のグローブとして用いることも可能である。また、以下の説明のスポーツ用グローブ１００〜４００（（１）のスタンスのプレイヤー用のスポーツ用グローブ１００、（２）のスタンスのプレイヤー用のスポーツ用グローブ２００、（３）のスタンスのプレイヤー用のスポーツ用グローブ３００、及び（４）のスタンスのプレイヤー用のスポーツ用グローブ４００）は、両手が左右対称に形成されているので、左手側のスポーツ用グローブ１００〜４００のみ図示し、右手側のスポーツ用グローブ１００〜４００の図示を省略する。
【００２７】
ここで、まず図１、図２に基づいて、（１）のスタンスを採るプレイヤーの特徴について説明する。
図１に示すように、（１）のスタンスを採るプレイヤーは、第２指の中手指節関節と、第５指の中手指節関節と手根中手関節との略中間を通る直線Ｌ１と、この直線Ｌ１に平行であって、且つ第５指中手骨の手根骨側を通る直線Ｌ２との間の範囲Ｗ１に刺激を付与することにより、（１）のスタンスのプレイヤーの運動能力を十分発揮させることが可能になる。
これは、とりもなおさず４つのスタンスは、末梢四肢（手足）に相互に関係しており、脳から末梢四肢に至る固有の身体特徴に基づいて理論立てられているからである（以下に示す３つのスタンスのプレイヤーについても同様）。
【００２８】
図２に示すように、このような特徴を有する（１）のスタンスのプレイヤーが、例えばバット１のグリップ２を把持する際、第１指、第２指、及び第３指の指先でグリップ２を把持する。また、手首は、手の甲から前腕に至る間がほぼフラットな状態になる。さらに、第１指の指先は、第２指側に向いた状態になる。そして、このように把持した状態で肘を支点にして手首を動かすようにしてバット１のスイングを行う。
【００２９】
（（１）のスタンスのプレイヤー用のスポーツ用グローブ）
次に、図３、図４に基づいて、（１）のスタンスのプレイヤー用のスポーツ用グローブ１００について説明する。
図３、図４に示すように、（１）のスタンスのプレイヤー用のスポーツ用グローブ１００のグローブ本体１０１は、例えば合成樹脂により、手全体を覆うように形成されたものであって、グローブ本体１０１の大部分が伸縮性を有する高伸縮性部材１０２を用いて製造されており、一部分に高伸縮性部材１０２よりも伸縮性が低い、低伸縮性部材１０３が用いられている。
【００３０】
ここで、低伸縮性部材１０３は、図１に示す範囲Ｗ１に対応する部位、及びこれに関係する所定の部位に用いられている。
すなわち、グローブ本体１０１の掌側面１０１ａには、第２指の近位指節間関節と中手指節関節との間に延在するように、第１低伸縮性部材１０４ａが用いられている。また、グローブ本体１０１の掌側面１０１ａには、第３指の近位指節間関節と中手指節関節との間に延在するように、第２低伸縮性部材１０４ｂが用いられている。
【００３１】
さらに、グローブ本体１０１の掌側面１０１ａには、第２指の中手指節関節から第５指の中手指節関節と手根中手関節との間に至るまで延在するように、第３低伸縮性部材１０４ｃが用いられている。つまり、この第３低伸縮性部材１０４ｃは、図１における範囲Ｗ１に対応するように形成されている。そして、第１低伸縮性部材１０４ａ、第２低伸縮性部材１０４ｂ、及び第３低伸縮性部材１０４ｃは、それぞれ連続的に形成されている。
【００３２】
一方、グローブ本体１０１の甲側面１０１ｂには、第２指の近位指節間関節と中手指節関節との間に延在するように、第４低伸縮性部材１０４ｄが用いられている。また、グローブ本体１０１の甲側面１０１ｂには、第２指の中手指節関節から第５指の中手指節関節と手根中手関節との間に至るまで延在するように、第５低伸縮性部材１０４ｅが用いられている。つまり、第５低伸縮性部材１０４ｅは、図１における範囲Ｗ１に対応するように形成されている。そして、第４低伸縮性部材１０４ｄ、及び第５低伸縮性部材１０４ｅは、それぞれ連続的に形成されている。
【００３３】
このように、図１に示す範囲Ｗ１に対応する部位、及びこれに関係する所定の部位に、グローブ本体１０１の大部分に用いられている高伸縮性部材１０２と異なる素材の低伸縮性部材１０３を用いることにより、この低伸縮性部材１０３が延在している部分に（１）のスタンスのプレイヤーの意識が向けられる。これが（１）のスタンスのプレイヤーにとって好適な刺激となり、（１）のスタンスのプレイヤーの運動能力を十分発揮させることが可能になる。
【００３４】
ここで、グローブ本体１０１の掌側面１０１ａには、第２指、及び第３指のそれぞれに、低伸縮性部材１０３（１０４ａ，１０４ｂ）が延在されているのに対し、グローブ本体１０１の甲側面１０１ｂには、第２指のみに低伸縮性部材１０３（１０４ｄ）が延在されている。これは、（１）のスタンスのプレイヤーにとって、手の甲側の意識が極力少ない方がよいからである。
【００３５】
また、グローブ本体１０１の挿入口１０５には、（１）のスタンスのプレイヤーの手首を締め付け可能なホールド部１０６が一体成形されている。このホールド部１０６の幅Ｗ１は、
０．５ｃｍ≦Ｗ１≦５ｃｍ・・・（１）
を満たすように設定されている。
これは、（１）のスタンスのプレイヤーは、肩と手首を頻繁に動かすので、自由に手首を動かしたいという意識が強く、手首をあまり覆わない方が好ましいからである。このため、ホールド部１０６の幅Ｗ１が式（１）を満たすことにより、スポーツ用グローブ１００を装着した際の（１）のスタンスを採るプレイヤーの不快感を確実に低減でき、確実に安心感を付与することができる。
【００３６】
さらに、ホールド部１０６には、帯状のストラップ１０７が取り付けられている。ストラップ１０７は、第１指から第５指に向かって手首を巻き付け可能なように設けられており、その長さは手首を半周する程度の長さに設定されている。ストラップ１０７とホールド部１０６との合わせ面には、それぞれ綿ファスナー１０８が取り付けられている。また、ストラップ１０７は、先細りとなるように形成されている。
【００３７】
ここで、（１）のスタンスのプレイヤーが上肢を動かす際、上腕にあっては外側から内側へと回転させる所謂回内運動を行おうとする癖がある一方、前腕にあっては内側から外側へと回転させる所謂回外運動を行おうとする癖がある。このため、ホールド部１０６に、前腕の回外運動に合わせるように、ストラップ１０７を第１指から第５指に向かって手首を巻き付け可能に設けることにより、（１）のスタンスのプレイヤーが違和感を感じることなく、ストラップ１０７を手首に巻き付けることができる。
【００３８】
また、綿ファスナー１０８によって、ホールド部１０６の上から手首を適度に締め付けるようにしてストラップ１０７を貼付することができる。これにより、（１）のスタンスのプレイヤー用のスポーツ用グローブ１００の装着状態を安定させることができる。このとき、ストラップ１０７の長さが手首を半周する程度に設定されていると共に、ストラップ１０７が先細りとなるように形成されている分、（１）のスタンスのプレイヤーは、ホールド部１０６によって手首が締め付けられている感触をあまり感じることがない。すなわち、（１）のスタンスのプレイヤーは、手首をあまり締め付けない方が好ましいので、ストラップ１０７を先細り形状とすることで、（１）のスタンスのプレイヤーに不快感を抱かせずに安心感を付与させることができる。このため、より確実に（１）のスタンスを採るプレイヤーの運動能力を十分発揮させることが可能になる。
【００３９】
（（２）のスタンスを採るプレイヤー）
次に、図５〜図８に基づいて、（２）のスタンスを採るプレイヤーに最適なスポーツ用グローブ２００について説明する。
図５は、右手掌の骨格図であって、（２）のスタンスを採るプレイヤーの特徴を示す。図６は、（２）のスタンスを採るプレイヤーがバットのグリップを把持した状態を示す説明図である。図７は、（２）のスタンスを採るプレイヤーに最適なスポーツ用グローブ２００の左手の掌側面２０１ａの平面図である。図８は、（２）のスタンスを採るプレイヤーに最適なスポーツ用グローブ２００の左手の甲側面２０１ｂの平面図である。
【００４０】
まず、図５、図６に基づいて、（２）のスタンスを採るプレイヤーの特徴について説明する。
図５に示すように、（２）のスタンスを採るプレイヤーは、第２指の中手指節関節と豆状骨を通る直線Ｌ３と、この直線Ｌ３に平行であって、且つ三角骨と月状骨との間を通る直線Ｌ４との間の範囲Ｗ２に刺激を付与することにより、（２）のスタンスのプレイヤーの運動能力を十分発揮させることが可能になる。
【００４１】
図６に示すように、このような特徴を有する（２）のスタンスのプレイヤーが、例えばバット１のグリップ２を把持する際、掌で、かつ第１指、第３指、及び第４指でグリップ２を把持する。また、手首は、手の甲から前腕に至る間がほぼフラットな状態になる。さらに、第１指の指先は、第２指であって且つ第３指とは反対側の側面に位置した状態になる。そして、このように把持した状態で手首を固定し、肘でコントロールするようにしてバット１のスイングを行う。
【００４２】
（（２）のスタンスのプレイヤー用のスポーツ用グローブ）
次に、図７、図８に基づいて、（２）のスタンスのプレイヤー用のスポーツ用グローブ２００について説明する。
ここで、図７、図８に示すように、（２）のスタンスのプレイヤー用のスポーツ用グローブ２００において、グローブ本体２０１は、例えば合成樹脂により、手全体を覆うように形成されたものであって、グローブ本体２０１の大部分が伸縮性を有する高伸縮性部材２０２を用いて製造されている点、一部分に高伸縮性部材２０２よりも伸縮性が低い、低伸縮性部材２０３が用いられている点、は、前述の（１）のスタンスのプレイヤー用のスポーツ用グローブ１００と同様である（以下に示す（３）のスタンスのプレイヤー用のスポーツ用グローブ３００、及び（４）のスタンスのプレイヤー用のスポーツ用グローブ４００についても同様）。
【００４３】
ここで、低伸縮性部材２０３は、図５に示す範囲Ｗ２に対応する部位、及びこれに関係する所定の部位に用いられている。
すなわち、グローブ本体２０１の掌側面２０１ａには、第３指の近位指節間関節と中手指節関節との間に延在するように、第１低伸縮性部材２０４ａが用いられている。また、グローブ本体２０１の掌側面２０１ａには、第４指の近位指節間関節と中手指節関節との間に延在するように、第２低伸縮性部材２０４ｂが用いられている。
【００４４】
さらに、グローブ本体１０１の掌側面２０１ａには、第２指の中手指節関節から第５指の月状骨に至るまで延在するように、第３低伸縮性部材２０４ｃが用いられている。つまり、この第３低伸縮性部材２０４ｃは、図５における範囲Ｗ２に対応するように形成されている。そして、範囲Ｗ２よりも幅広に形成され、第３低伸縮性部材２０４ｃの指先側のラインＬ５は、第３低伸縮性部材２０４ｃが小指球を被覆可能なように形成されている。これら第１低伸縮性部材２０４ａ、第２低伸縮性部材２０４ｂ、及び第３低伸縮性部材２０４ｃは、それぞれ別個に形成されている。
【００４５】
一方、グローブ本体２０１の甲側面２０１ｂには、第２指の中手指節関節から第５指の月状骨に至るまで延在するように、第４低伸縮性部材２０４ｄが用いられている。つまり、この第４低伸縮性部材２０４ｄは、図５における範囲Ｗ２に対応するように形成されている。これに加え、第４低伸縮性部材２０４ｄは、掌側面２０１ａに形成されている第３低伸縮性部材２０４ｃに対応するように、範囲Ｗ２よりも幅広に形成されている。
【００４６】
このように、図５に示す範囲Ｗ２に対応する部位、及びこれに関係する所定の部位に、グローブ本体２０１の大部分に用いられている高伸縮性部材２０２と異なる素材の低伸縮性部材２０３を用いることにより、この低伸縮性部材２０３が延在している部分に（２）のスタンスのプレイヤーの意識が向けられる。これが（２）のスタンスのプレイヤーにとって好適な刺激となり、（２）のスタンスのプレイヤーの運動能力を十分発揮させることが可能になる。
【００４７】
ここで、グローブ本体２０１の掌側面２０１ａには、第３指、及び第４指のそれぞれに、低伸縮性部材２０３（２０４ａ，２０４ｂ）が延在されているのに対し、グローブ本体２０１の甲側面２０１ｂには、何れの指にも低伸縮性部材２０３が用いられていない。これは、（２）のスタンスのプレイヤーにとって、手の甲側の意識が極力少ない方がよいからである。
【００４８】
また、グローブ本体２０１の挿入口２０５には、（２）のスタンスのプレイヤーの手首を締め付け可能なホールド部２０６が一体成形されている。このホールド部２０６の幅Ｗ２は、
１．５ｃｍ≦Ｗ２≦６ｃｍ・・・（２）
を満たすように設定されている。
【００４９】
すなわち、（２）のスタンスのプレイヤー用のスポーツ用グローブ２００におけるホールド部２０６の幅Ｗ２は、（１）のスタンスのプレイヤー用のスポーツ用グローブ１００におけるホールド部１０６の幅Ｗ１よりも大きく設定されている。
これは、（２）のスタンスのプレイヤーは、手首をしっかりと覆って固定することによって安心感を得られるからである。このため、ホールド部２０６の幅Ｗ２が式（２）を満たすことにより、スポーツ用グローブ２００を装着した際の（２）のスタンスを採るプレイヤーの不快感を確実に低減でき、確実に安心感を付与することができる。
【００５０】
さらに、ホールド部２０６には、帯状のストラップ２０７が取り付けられている。ストラップ２０７は、第１指から第５指に向かって手首を巻き付け可能なように設けられており、その長さは手首を１周半する程度の長さに設定されている。ストラップ２０７の先端部とホールド部２０６との合わせ面には、それぞれ綿ファスナー２０８が取り付けられている。
【００５１】
ここで、（２）のスタンスのプレイヤーが上肢を動かす際、上腕にあっては内側から外側へと回転させる所謂回外運動を行おうとする癖があると共に、前腕にあっても内側から外側へと回転させる所謂回外運動を行おうとする癖がある。このため、ホールド部２０６に、前腕の回外運動に合わせるように、ストラップ２０７を第１指から第５指に向かって手首を巻き付け可能に設けることにより、（２）のスタンスのプレイヤーが違和感を感じることなく、ストラップ２０７を手首に巻き付けることができる。
【００５２】
また、綿ファスナー２０８によって、ホールド部２０６の上から手首を適度に締め付けるようにしてストラップ２０７を貼付することができる。これにより、（２）のスタンスのプレイヤー用のスポーツ用グローブ２００の装着状態を安定させることができる。このとき、ストラップ２０７の長さが手首を１周半する程度の長さに設定され、且つ帯状に形成されている分、（２）のスタンスのプレイヤーは、ホールド部２０６によって手首がしっかりと締め付けられている感触を得る。すなわち、（２）のスタンスのプレイヤーは、手首がしっかりと覆われ、且つしっかりと締め付けられることによって安心感を得ることができるので、ホールド部２０６、及びストラップ２０７によって、より確実に（２）のスタンスを採るプレイヤーの運動能力を十分発揮させることが可能になる。
【００５３】
また、ストラップ２０７の幅Ｗ２’は、ホールド部２０６の幅Ｗ２よりも小さく設定されている。これは、ストラップ２０７による手首の締め付け力が大きくなりすぎないようにするためである。例えば、ストラップ２０７の幅Ｗ２’がホールド部２０６の幅Ｗ２とほぼ同一に設定されていると、ストラップ２０７で手首を１周半程度巻き付けてしまと、手首を締め付けすぎてしまい、プレイヤーに違和感を感じさせてしまう。
ここで、ストラップ２０７の幅Ｗ２’の幅としては、手首の骨の下部のライン、換言すれば、橈骨、尺骨の手首側の骨頭部を覆うラインを巻付け可能な幅に設定されていればよい。
【００５４】
（（３）のスタンスを採るプレイヤー）
次に、図９〜図１２に基づいて、（３）のスタンスを採るプレイヤーに最適なスポーツ用グローブ３００について説明する。
図９は、右手掌の骨格図であって、（３）のスタンスを採るプレイヤーの特徴を示す。図１０は、（３）のスタンスを採るプレイヤーがバットのグリップを把持した状態を示す説明図である。図１１は、（３）のスタンスを採るプレイヤーに最適なスポーツ用グローブ３００の左手の掌側面３０１ａの平面図である。図１２は、（３）のスタンスを採るプレイヤーに最適なスポーツ用グローブ３００の左手の甲側面３０１ｂの平面図である。
【００５５】
まず、図９、図１０に基づいて、（３）のスタンスを採るプレイヤーの特徴について説明する。
図９に示すように、（３）のスタンスを採るプレイヤーは、第３指の近位指節間関節と中手指節関節との間の範囲Ｗ３に刺激を付与することにより、（３）のスタンスのプレイヤーの運動能力を十分発揮させることが可能になる。また、第４指の近位指節間関節と中手指節関節との間の範囲Ｗ４に刺激を付与することにより、（３）のスタンスのプレイヤーの運動能力を十分発揮させることが可能になる。さらに、第２指から第５指に至る間の中手指節関節よりもやや指先側を通る直線Ｌ６と、この直線Ｌ６に平行であって、且つ第２指から第５指に至る間の中手指節関節と第２指から第５指に至る間の近位指節間関節との間の略中央を通る直線Ｌ７との間の範囲５３に刺激を付与することにより、（３）のスタンスのプレイヤーの運動能力を十分発揮させることが可能になる。
【００５６】
図１０に示すように、このような特徴を有する（３）のスタンスのプレイヤーが、例えばバット１のグリップ２を把持する際、第１指、第３指、及び第４指の指先で棒を把持する。また、手首は、手の甲側に向かって背屈する。さらに、第１指はバット１の長手方向に沿う。そして、このように把持した状態で肘を支点にして手首を動かすようにしてバット１のスイングを行う。
【００５７】
（（３）のスタンスのプレイヤー用のスポーツ用グローブ）
次に、図１１、図１２に基づいて、（３）のスタンスのプレイヤー用のスポーツ用グローブ３００について説明する。
図１１、図１２に示すように、（３）のスタンスのプレイヤー用のスポーツ用グローブ３００のグローブ本体３０１の低伸縮性部材３０３は、図９に示す範囲Ｗ３〜Ｗ５に対応する部位、及びこれに関係する所定の部位に用いられている。
【００５８】
すなわち、グローブ本体３０１の掌側面３０１ａには、第３指の近位指節間関節と中手指節関節との間に延在するように、第１低伸縮性部材３０４ａが用いられている。つまり、この第１低伸縮性部材３０４ａは、図９における範囲Ｗ３に対応するように形成されている。
また、グローブ本体３０１の掌側面３０１ａには、第４指の近位指節間関節と中手指節関節との間に延在するように、第２低伸縮性部材３０４ｂが用いられている。つまり、この第２低伸縮性部材３０４ｂは、図９における範囲Ｗ４に対応するように形成されている。
【００５９】
さらに、グローブ本体３０１の掌側面３０１ａには、第２指の中手指節関節から第５指の中手指節関節との間に至るまで延在するように、第３低伸縮性部材３０４ｃが用いられている。つまり、この第３低伸縮性部材３０４ｃは、図９における範囲Ｗ５に対応するように形成されている。そして、第１低伸縮性部材３０４ａ、第２低伸縮性部材３０４ｂ、及び第３低伸縮性部材３０４ｃは、それぞれ連続的に形成されている。
【００６０】
一方、グローブ本体３０１の甲側面３０１ｂには、第３指の近位指節間関節と中手指節関節との間に延在するように、第４低伸縮性部材３０４ｄが用いられている。つまり、この第１低伸縮性部材３０４ａは、図９における範囲Ｗ３に対応するように形成されている。
また、グローブ本体３０１の甲側面３０１ｂには、第４指の近位指節間関節と中手指節関節との間に延在するように、第５低伸縮性部材３０４ｅが用いられている。つまり、この第５低伸縮性部材３０４ｅは、図９における範囲Ｗ４に対応するように形成されている。
【００６１】
さらに、グローブ本体３０１の甲側面３０１ｂには、第２指の中手指節関節から第５指の中手指節関節との間に至るまで延在するように、第６低伸縮性部材３０４ｆが用いられている。つまり、この第６低伸縮性部材３０４ｆは、図９における範囲Ｗ５に対応するように形成されている。
そして、グローブ本体３０１の甲側面３０１ｂには、第３指と第４指との間であって、且つ第６低伸縮性部材３０４ｆから手首に至る間に延在するように、第７低伸縮性部材３０４ｇが用いられている。そして、第４低伸縮性部材３０４ｄ、第５低伸縮性部材３０４ｅ、第６低伸縮性部材３０４ｆ、及び第７低伸縮性部材３０４ｇは、それぞれ連続的に形成されている。
【００６２】
このように、図９に示す範囲Ｗ３，Ｗ４，Ｗ５に対応する部位、及びこれに関係する所定の部位に、グローブ本体３０１の大部分に用いられている高伸縮性部材１０２と異なる素材の低伸縮性部材３０３を用いることにより、この低伸縮性部材３０３が延在している部分に（３）のスタンスのプレイヤーの意識が向けられる。これが（３）のスタンスのプレイヤーにとって好適な刺激となり、（３）のスタンスのプレイヤーの運動能力を十分発揮させることが可能になる。
【００６３】
ここで、グローブ本体１０１の甲側面３０１ｂは、この大部分が第６低伸縮性部材３０４ｆと第７低伸縮性部材３０４ｇとにより構成され、掌側面３０１ａと比較して低伸縮性部材３０３の占有面積が大きくなっている。これは、（３）のスタンスのプレイヤーにとって、手の甲側に意識がある方がよいからである。
【００６４】
また、グローブ本体３０１の挿入口３０５には、（３）のスタンスのプレイヤーの手首を締め付け可能なホールド部３０６が一体成形されている。このホールド部３０６の幅Ｗ３は、
０．５ｃｍ≦Ｗ３≦５ｃｍ・・・（３）
を満たすように設定されている。
【００６５】
すなわち、（３）のスタンスのプレイヤー用のスポーツ用グローブ３００におけるホールド部３０６の幅Ｗ３は、（１）のスタンスのプレイヤー用のスポーツ用グローブ１００におけるホールド部１０６の幅Ｗ１と略一致するように設定されている。
これは、（３）のスタンスのプレイヤーは、肩と手首を頻繁に動かすので、自由に手首を動かしたいという意識が強く、手首をあまり覆わない方が好ましいからである。このため、ホールド部３０６の幅Ｗ３が式（３）を満たすことにより、スポーツ用グローブ３００を装着した際の（３）のスタンスを採るプレイヤーの不快感を確実に低減でき、確実に安心感を付与することができる。
【００６６】
さらに、ホールド部３０６には、帯状のストラップ３０７が取り付けられている。ストラップ３０７は、第５指から第１指に向かって手首を巻き付け可能なように設けられており、その長さは手首を半周する程度の長さに設定されている。ストラップ３０７とホールド部３０６との合わせ面には、それぞれ綿ファスナー３０８が取り付けられている。
【００６７】
ここで、（３）のスタンスのプレイヤーが上肢を動かす際、上腕にあっては内側から外側へと回転させる所謂回外運動を行おうとする癖がある一方、前腕にあっては外側から内側へと回転させる所謂回内運動を行おうとする癖がある。このため、ホールド部３０６に、前腕の回内運動に合わせるように、ストラップ３０７を第５指から第１指に向かって手首を巻き付け可能に設けることにより、（３）のスタンスのプレイヤーが違和感を感じることなく、ストラップ３０７を手首に巻き付けることができる。
【００６８】
また、綿ファスナー３０８によって、ホールド部３０６の上から手首を適度に締め付けるようにしてストラップ３０７を貼付することができる。これにより、（３）のスタンスのプレイヤー用のスポーツ用グローブ３００の装着状態を安定させることができる。このとき、ストラップ３０７の長さが手首を半周する程度の長さに設定されているので、手首の締め付けは、（２）のスタンスのプレイヤー用のスポーツ用グローブ２００を装着する場合よりも小さくなる。このように、ホールド部３０６、及びストラップ３０７によって手首をしっかりと覆いつつ、手首をあまり締め付けないようにすることにより、より確実に（３）のスタンスを採るプレイヤーの運動能力を十分発揮させることが可能になる。
【００６９】
（（４）のスタンスを採るプレイヤー）
次に、図１３〜図１６に基づいて、（４）のスタンスを採るプレイヤーに最適なスポーツ用グローブ４００について説明する。
図１３は、右手掌の骨格図であって、（４）のスタンスを採るプレイヤーの特徴を示す。図１４は、（４）のスタンスを採るプレイヤーがバットのグリップを把持した状態を示す説明図である。図１５は、（４）のスタンスを採るプレイヤーに最適なスポーツ用グローブ４００の左手の掌側面４０１ａの平面図である。図１６は、（４）のスタンスを採るプレイヤーに最適なスポーツ用グローブ４００の左手の甲側面４０１ｂの平面図である。
【００７０】
まず、図１３、図１４に基づいて、（４）のスタンスを採るプレイヤーの特徴について説明する。
図１３に示すように、（４）のスタンスを採るプレイヤーは、第２指から第５指に至る間の中手指節関節を通る直線Ｌ８と、この直線Ｌ８に平行であって、且つ中手指節関節と手根中手関節との間の略中央を通る直線Ｌ９との間の範囲Ｗ６に刺激を付与することにより、（４）のスタンスのプレイヤーの運動能力を十分発揮させることが可能になる。
【００７１】
図１４に示すように、このような特徴を有する（４）のスタンスのプレイヤーが、例えばバット１のグリップ２を把持する際、掌で、かつ第１指、第２指、及び第３指で棒を把持する。また、手首は、第１指側に向かって背屈する。さらに、第１指はバット１の長手方向（直線状）に沿う。そして、このように把持した状態で手首を固定し、肘でコントロールするようにしてバット１のスイングを行う。
【００７２】
（（４）のスタンスのプレイヤー用のスポーツ用グローブ）
次に、図１５、図１６に基づいて、（４）のスタンスのプレイヤー用のスポーツ用グローブ４００について説明する。
ここで、図１５、図１６に示すように、（４）のスタンスのプレイヤー用のスポーツ用グローブ４００の低伸縮性部材４０３は、図１３に示す範囲Ｗ６に対応する部位、及びこれに関係する所定の部位に用いられている。
【００７３】
すなわち、グローブ本体４０１の掌側面４０１ａには、第２指の中手指節関節から第５指の中手指節関節に至るまで延在するように、第１低伸縮性部材４０４ａが用いられている。そして、この第１低伸縮性部材４０４ａの手首側のラインＬ１０は、中手指節関節と手根中手関節との間の略中央に位置している。つまり、第１低伸縮性部材４０４ａは、図１３における範囲Ｗ６に対応するように形成されている。
また、グローブ本体４０１の掌側面４０１ａには、母指球の周囲に沿って延在するように、第２低伸縮性部材４０４ｂが用いられている。これら第１低伸縮性部材４０４ａと、第２低伸縮性部材４０４ｂは、それぞれ別個に形成されている。
【００７４】
一方、グローブ本体４０１の甲側面４０１ｂには、第２指の中手指節関節から第５指の中手指節関節に至るまで延在するように、第３低伸縮性部材４０４ｃが用いられている。つまり、この第３低伸縮性部材４０４ｃは、図１３における直線Ｌ８に対応するように形成されている。
また、グローブ本体４０１の甲側面４０１ｂには、第３低伸縮性部材４０４ｃから手首側に離間した状態で形成され、且つ甲側面４０１ｂ全体を覆うように形成された第４低伸縮性部材４０４ｄが用いられている。
【００７５】
このように、図１３に示す範囲Ｗ６に対応する部位、及びこれに関係する所定の部位に、グローブ本体４０１の大部分に用いられている高伸縮性部材４０２と異なる素材の低伸縮性部材４０３を用いることにより、この低伸縮性部材４０３が延在している部分に（４）のスタンスのプレイヤーの意識が向けられる。これが（４）のスタンスのプレイヤーにとって好適な刺激となり、（４）のスタンスのプレイヤーの運動能力を十分発揮させることが可能になる。
【００７６】
ここで、グローブ本体４０１の甲側面４０１ｂは、この大部分が第４低伸縮性部材４０４ｄにより構成され、掌側面４０１ａと比較して低伸縮性部材４０３の占有面積が大きくなっている。これは、（４）のスタンスのプレイヤーにとって、手の甲側に意識がある方がよいからである。
また、グローブ本体４０１の挿入口４０５には、（４）のスタンスのプレイヤーの手首を締め付け可能なホールド部４０６が一体成形されている。このホールド部４０６の幅Ｗ４は、
１．５ｃｍ≦Ｗ４≦６ｃｍ・・・（４）
を満たすように設定されている。
【００７７】
すなわち、（４）のスタンスのプレイヤー用のスポーツ用グローブ４００におけるホールド部４０６の幅Ｗ４は、（２）のスタンスのプレイヤー用のスポーツ用グローブ２００におけるホールド部２０６の幅Ｗ２と略一致するように設定されている。
これは、（４）のスタンスのプレイヤーは、手首をしっかりと覆って固定することによって安心感を得られるからである。このため、ホールド部４０６の幅Ｗ４が式（４）を満たすことにより、スポーツ用グローブ４００を装着した際の（４）のスタンスを採るプレイヤーの不快感を確実に低減でき、確実に安心感を付与することができる。
【００７８】
さらに、ホールド部４０６には、帯状のストラップ４０７が取り付けられている。ストラップ４０７は、第１指から第５指に向かって手首を巻き付け可能なように設けられており、その長さは手首を１周半する程度の長さに設定されている。ストラップ４０７の先端部とホールド部４０６との合わせ面には、それぞれ綿ファスナー４０８が取り付けられている。
【００７９】
ここで、（４）のスタンスのプレイヤーが上肢を動かす際、上腕にあっては外側から内側へと回転させる所謂回内運動を行おうとする癖があると共に、前腕にあっても外側から内側へと回転させる所謂回内運動を行おうとする癖がある。このため、ホールド部４０６に、前腕の回内運動に合わせるように、ストラップ４０７を第５指から第１指に向かって手首を巻き付け可能に設けることにより、（４）のスタンスのプレイヤーが違和感を感じることなく、ストラップ４０７を手首に巻き付けることができる。
【００８０】
また、綿ファスナー４０８によって、ホールド部４０６の上から手首を適度に締め付けるようにしてストラップ４０７を貼付することができる。これにより、（４）のスタンスのプレイヤー用のスポーツ用グローブ４００の装着状態を安定させることができる。このとき、ストラップ４０７の長さが手首を１周半する程度の長さに設定され、且つ帯状に形成されている分、（４）のスタンスのプレイヤーは、ホールド部４０６によって手首がしっかりと締め付けられている感触を得る。すなわち、（４）のスタンスのプレイヤーは、手首をしっかり締め付けられることによって安心感を得ることができるので、ホールド部４０６、及びストラップ４０７によって、手首をあまり覆わずに、且つしっかりと締め付けることができ、より確実に（４）のスタンスを採るプレイヤーの運動能力を十分発揮させることが可能になる。
【００８１】
尚、本発明は上述の実施形態に限られるものではなく、本発明の趣旨を逸脱しない範囲において、上述の実施形態に種々の変更を加えたものを含む。
例えば、上述の実施形態では、綿ファスナー１０８〜４０８によって、各スポーツ用グローブ１００〜４００のホールド部１０６〜４０６にストラップ１０７〜４０７を貼付する場合について説明した。しかしながら、これに限られるものではなく、ホールド部１０６〜４０６にストラップ１０７〜４０７を貼付可能なものであればよい。すなわち、綿ファスナー１０８〜４０８に代わって、例えば、スナップボタンを用いることも可能である。
【００８２】
また、上述の実施形態では、各スポーツ用グローブ１００〜４００のグローブ本体１０１〜４０１は、例えば合成樹脂からなり、その大部分が伸縮性を有する高伸縮性部材１０２〜４０２を用いて製造されており、一部分に高伸縮性部材１０２〜４０２よりも伸縮性が低い低伸縮性部材１０３〜４０３が用いられている場合について説明した。
しかしながら、これに限られるものではなく、低伸縮性部材１０３〜４０３に対応する箇所が、高伸縮性部材１０２〜４０２に対応する箇所よりも低伸縮性を有していればよい。すなわち、例えば、高伸縮性部材１０２〜４０２と低伸縮性部材１０３〜４０３とを同一の素材で形成し、低伸縮性部材１０３〜４０３に対応する箇所の素材を、高伸縮性部材１０２〜４０２が用いられている箇所の素材よりも厚く形成することにより、高伸縮性部材１０２〜４０２の箇所よりも低伸縮性部材１０３〜４０３の箇所の伸縮性を低下させるように構成してもよい。
【００８３】
さらに、上述の実施形態では、各スポーツ用グローブ１００〜４００のグローブ本体１０１〜４０１は、例えば合成樹脂により、手全体を覆うように形成されたものである場合について説明した。しかしながら、これに限られるものではなく、グローブ本体１０１〜４０１が、各指の近位指節間関節よりも指先側が露出するように形成されていてもよい。
【符号の説明】
【００８４】
１００，２００，３００，４００  スポーツ用グローブ
１０１，２０１，３０１，４０１  グローブ本体
１０２，２０２，３０２，４０２  高伸縮性部材
１０３，２０３，３０３，４０３  低伸縮性部材
１０４ａ，２０４ａ，３０４ａ，４０４ａ  第１低伸縮性部材
１０４ｂ，２０４ｂ，３０４ｂ，４０４ｂ  第２低伸縮性部材
１０４ｃ，２０４ｃ，３０４ｃ，４０４ｃ  第３低伸縮性部材
１０４ｄ，２０４ｄ，３０４ｄ，４０４ｄ  第４低伸縮性部材
１０４ｅ，３０４ｅ  第５低伸縮性部材
３０４ｆ  第６低伸縮性部材
３０４ｇ  第７低伸縮性部材
１０５，２０５，３０５，４０５  挿入口
１０６，２０６，３０６，４０６  ホールド部
１０７，２０７，３０７，４０７  ストラップ
【図１】
2013141529.tif 000003
【図２】
2013141529.tif 000004
【図３】
2013141529.tif 000005
【図４】
2013141529.tif 000006
【図５】
2013141529.tif 000007
【図６】
2013141529.tif 000008
【図７】
2013141529.tif 000009
【図８】
2013141529.tif 000010
【図９】
2013141529.tif 000011
【図１０】
2013141529.tif 000012
【図１１】
2013141529.tif 000013
【図１２】
2013141529.tif 000014
【図１３】
2013141529.tif 000015
【図１４】
2013141529.tif 000016
【図１５】
2013141529.tif 000017
【図１６】
2013141529.tif 000018
【図１７】
2013141529.tif 000019
【図１８】
2013141529.tif 000020
【図１９】
2013141529.tif 000021
【図２０】
2013141529.tif 000022